(57)【特許請求の範囲】
【請求項１】
サーバ装置と、前記サーバ装置とネットワークを介して接続され、ユーザによって操作される端末装置とを備えて構成され、電子ペンの記入情報に基づいて端末装置を操作するための操作シートを作成する操作シート作成システムであって、
前記サーバ装置は、
前記端末装置の表示手段に表示させるために、前記操作シートに設定するアイコンに付与する機能の一覧を表示するための機能一覧画面を生成する機能一覧画面生成手段と、
前記端末装置から、前記機能の一覧の中から前記ユーザが選択した機能を受信する機能受信手段と、
前記端末装置の表示手段に表示させるために、前記ユーザが選択した機能を示すデザインの一覧を表示するためのデザイン一覧画面を生成するデザイン一覧画面生成手段と、
前記端末装置から、前記デザインの一覧の中から前記ユーザが選択したデザインを受信するデザイン受信手段と、
前記ユーザが選択した機能及びデザインを付与したアイコンに対して、ドットパターンを割り当てるドットパターン割当手段と、
前記ドットパターン割当手段が割り当てたドットパターン、前記ユーザが選択した機能、及び前記ユーザが選択したデザインに基づいて、前記操作シートを印刷するための出力ファイルを生成する出力ファイル生成手段とを備え、
前記端末装置は、
前記機能一覧画面生成手段が生成した前記機能一覧画面を、前記表示手段に表示させる機能一覧画面表示手段と、
前記機能一覧画面に表示された機能の一覧の中から前記ユーザが選択した機能を取得し、前記サーバ装置に送信する機能送信手段と、
前記デザイン一覧画面生成手段が生成した前記デザイン一覧画面を、前記表示手段に表示させるデザイン一覧画面表示手段と、
前記デザイン一覧画面に表示されたデザインの一覧の中から前記ユーザが選択したデザインを取得し、前記サーバ装置に送信するデザイン送信手段とを備えることを特徴とする操作シート作成システム。
【請求項２】
前記端末装置は、
前記ユーザによる入力操作により前記操作シートの作成部数を取得する作成部数取得手段と、
前記作成部数取得手段により取得された前記作成部数が複数である場合に、前記操作シートを作成するために用いるドットパターンとして、複数の操作シートにおいてドットパターンが同一であるコピーパターンと、前記複数の操作シートの各々でドットパターンが異なるユニークパターンとのいずれを用いるかの選択を、前記ユーザの入力操作により取得するパターン種別取得手段とを更に備え、
前記サーバ装置の前記ドットパターン割当手段は、前記ユーザが前記コピーパターンと前記ユニークパターンとのいずれを選択したかに対応して、前記ドットパターンを割り当てることを特徴とする請求項１に記載の操作シート作成システム。
【請求項３】
前記サーバ装置は、
前記端末装置から、前記ユーザによる入力操作により前記操作シートの作成部数を取得する作成部数取得手段と、
前記作成部数取得手段が取得した前記作成部数、前記アイコンに付与する機能及びデザインに応じて、前記操作シートの購入価格を設定する購入価格設定手段と、
前記端末装置の表示手段に表示させるために、前記ユーザが選択した前記アイコンのデザイン、前記購入価格、及び購入ボタンが表示された購入画面を生成する購入画面生成手段と
を更に備えることを特徴とする請求項１に記載の操作シート作成システム。
【請求項４】
前記サーバ装置は、
前記作成部数取得手段が取得した前記作成部数、前記コピーパターンとするか前記ユニークパターンとするかの選択、及び前記アイコンに付与する機能及びデザインに応じて、
前記操作シートの購入価格を設定する購入価格設定手段と、
前記端末装置の表示手段に表示させるために、前記ユーザが選択した前記アイコンのデザイン、前記購入価格、及び購入ボタンが表示された購入画面を生成する購入画面生成手段と
を更に備えることを特徴とする請求項２に記載の操作シート作成システム。
【請求項５】
前記端末装置は、前記ユーザからの入力により、前記操作シート上に配置する前記アイコンの位置を取得するアイコン位置取得手段を更に備え、
前記サーバ装置の前記出力ファイル生成手段は、前記アイコン位置取得手段が取得した前記アイコンの位置に基づいて、前記出力ファイルを生成することを特徴とする請求項１乃至４のいずれか一項に記載の操作シート作成システム。
【請求項６】
前記サーバ装置は、前記ユーザが選択した機能に対して、前記ドットパターン割当手段が割り当てた前記ドットパターンの情報を対応付けた定義ファイルを作成する定義ファイル作成手段を更に備え、
前記端末装置は、前記定義ファイル作成手段が作成した前記定義ファイルを登録する定義ファイル登録手段を更に備えることを特徴とする請求項１乃至５のいずれ一項に記載の操作シート作成システム。
【請求項７】
前記サーバ装置に接続されており、前記出力ファイル生成手段が生成した前記出力ファイルに基づいて前記操作シートを印刷するプリンタを備えることを特徴とする請求項１乃至６のいずれか一項に記載の操作シート作成システム。
【請求項８】
前記端末装置に接続されており、前記出力ファイル生成手段が生成した前記出力ファイルに基づいて前記操作シートを印刷するプリンタを備えることを特徴とする請求項１乃至６のいずれか一項に記載の操作シート作成システム。
【請求項９】
電子ペンの記入情報に基づいて端末を操作するための操作シートを作成する操作シート作成装置であって、
前記操作シートに設定するアイコンに付与する機能の一覧を表示するための機能一覧画面を生成する機能一覧画面生成手段と、
前記機能一覧画面を表示手段に表示させる機能一覧画面表示手段と、
前記機能一覧画面に表示された機能の一覧の中からユーザが選択した機能を取得する機能取得手段と、
前記ユーザが選択した機能を示すデザインの一覧を表示するためのデザイン一覧画面を生成するデザイン一覧画面生成手段と、
前記デザイン一覧画面を前記表示手段に表示させるデザイン一覧画面表示手段と、
前記デザイン一覧画面に表示されたデザインの一覧の中から前記ユーザが選択したデザインを取得するデザイン取得手段と、
前記ユーザが選択した機能及びデザインを付与したアイコンに対して、ドットパターンを割り当てるドットパターン割当手段と、
前記ドットパターン割当手段が割り当てたドットパターン、前記ユーザが選択した機能、及び前記ユーザが選択したデザインに基づいて、前記操作シートを印刷するための出力ファイルを生成する出力ファイル生成手段と
を備えることを特徴とする操作シート作成装置。
【請求項１０】
前記ユーザによる入力操作により前記操作シートの作成部数を取得する作成部数取得手段と、
前記作成部数取得手段により取得された前記作成部数が複数である場合に、前記操作シートを作成するために用いるドットパターンとして、複数の操作シートにおいてドットパターンが同一であるコピーパターンと、前記複数の操作シートの各々でドットパターンが異なるユニークパターンとのいずれを用いるかの選択を、前記ユーザの入力操作により取得する手段とを更に備え、
前記ドットパターン割当手段は、前記ユーザが前記コピーパターンと前記ユニークパターンとのいずれを選択したかに対応して、前記ドットパターンを割り当てることを特徴とする請求項９に記載の操作シート作成装置。
【請求項１１】
ユーザからの入力により、前記操作シート上に配置する前記アイコンの位置を取得するアイコン位置取得手段を更に備え、
前記出力ファイル生成手段は、前記アイコン位置取得手段が取得した前記アイコンの位置に基づいて、前記出力ファイルを生成することを特徴とする請求項９又は１０に記載の操作シート作成装置。
【請求項１２】
前記ユーザが選択した機能に対して、前記ドットパターン割当手段が割り当てた前記ドットパターンの情報を対応付けた定義ファイルを作成する定義ファイル作成手段と、
前記定義ファイル作成手段が作成した前記定義ファイルを登録する定義ファイル登録手段とを更に備えることを特徴とする請求項９乃至１１のいずれか一項に記載の操作シート作成装置。
【請求項１３】
電子ペンの記入情報に基づいて端末を操作するための操作シートを作成する操作シート作成装置によって実行されるプログラムであって、
前記操作シート作成装置を、
前記操作シートに設定するアイコンに付与する機能の一覧を表示するための機能一覧画面を生成する機能一覧画面生成手段、
前記機能一覧画面を表示手段に表示させる機能一覧画面表示手段、
前記機能一覧画面に表示された機能の一覧の中からユーザが選択した機能を取得する機能取得手段、
前記ユーザが選択した機能を示すデザインの一覧を表示するためのデザイン一覧画面を生成するデザイン一覧画面生成手段、
前記デザイン一覧画面を前記表示手段に表示させるデザイン一覧画面表示手段、
前記デザイン一覧画面に表示されたデザインの一覧の中から前記ユーザが選択したデザインを取得するデザイン取得手段、
前記ユーザが選択した機能及びデザインを付与したアイコンに対して、ドットパターンを割り当てるドットパターン割当手段、
前記ドットパターン割当手段が割り当てたドットパターン、前記ユーザが選択した機能、及び前記ユーザが選択したデザインに基づいて、前記操作シートを印刷するための出力ファイルを生成する出力ファイル生成手段、として機能させることを特徴とするプログラム。
【請求項１４】
前記ユーザによる入力操作により前記操作シートの作成部数を取得する作成部数取得手段、
前記作成部数取得手段により取得された前記作成部数が複数である場合に、前記操作シートを作成するために用いるドットパターンとして、複数の操作シートにおいてドットパターンが同一であるコピーパターンと、前記複数の操作シートの各々でドットパターンが異なるユニークパターンとのいずれを用いるかの選択を、前記ユーザの入力操作により取得する手段、として前記操作シート作成装置を更に機能させ、
前記ドットパターン割当手段は、前記ユーザが前記コピーパターンと前記ユニークパターンとのいずれを選択したかに対応して、前記ドットパターンを割り当てることを特徴とする請求項１３に記載のプログラム。
【請求項１５】
ユーザからの入力により、前記操作シート上に配置する前記アイコンの位置を取得するアイコン位置取得手段、として前記操作シート作成装置を更に機能させ、
前記出力ファイル生成手段は、前記アイコン位置取得手段が取得した前記アイコンの位置に基づいて、前記出力ファイルを生成することを特徴とする請求項１３又は１４に記載のプログラム。
【請求項１６】
前記ユーザが選択した機能に対して、前記ドットパターン割当手段が割り当てた前記ドットパターンの情報を対応付けた定義ファイルを作成する定義ファイル作成手段、
前記定義ファイル作成手段が作成した前記定義ファイルを登録する定義ファイル登録手段、として前記操作シート作成装置を更に機能させることを特徴とする請求項１３乃至１５のいずれか一項に記載のプログラム。
【発明の詳細な説明】
【技術分野】
【０００１】
本発明は、電子ペンで利用される操作シートを作成する操作シート作成システムに関する。
【背景技術】
【０００２】
近年、記入した情報を電子化する電子ペンが開発されており、その代表的なものとしてスウェーデンのAnoto 社が開発した「アノトペン（Anoto pen）」が知られている。アノトペンは、所定のドットパターンが印刷された専用紙とともに使用される。アノトペンは、ペン先部に、文字等を書くための通常のインクカートリッジに加えて、専用紙に印刷されたドットパターンを撮像するための小型カメラと、撮像したドットパターンから専用紙における位置座標を演算するプロセッサと、演算された位置座標等を外部機器へ送信するデータ通信ユニットとを搭載している。ユーザが専用紙上にアノトペンで文字等を書いたり、専用紙上に図案化されている画像にチェックマークを記入したりすると、ペンの移動に伴って小型カメラが専用紙に印刷されたドットパターンを撮像し、プロセッサによって演算された連続する位置座標から、ユーザが書き込んだ文字、画像などの記入情報が認識される。そして、この記入情報が、データ通信ユニットによりアノトペンから近くのパーソナルコンピュータや携帯電話などの端末装置に送信される（例えば、特許文献１参照）。
【０００３】
また、このような電子ペンで記入した情報によって、パーソナルコンピュータや携帯電話などの外部機器端末に動作を実行させる指示情報などが埋め込まれた操作シートが知られている。例えば、操作シートとしては、アノトペンに特定の動作を実行させる指示情報が埋め込まれたコンフィグレーションカードなどが挙げられる。この種の技術としては、例えば、特許文献２に、表示手段に表示させたアイコン画像を、そのアイコン画像に対応したドットパターンとともに紙面に印刷してペーパーコントローラを生成する技術が提案されている。
【先行技術文献】
【特許文献】
【０００４】
【特許文献１】特表２００３−５１１７６１号公報
【特許文献２】特開２００８−１５２７５６号公報
【発明の概要】
【発明が解決しようとする課題】
【０００５】
上記したような従来技術では、操作シートに設定する機能やそのデザインはアプリケーション毎に一律であって、ユーザごとに任意に設定することができなかった。そこで、本発明は、操作シートに設定する機能及びデザインをユーザが任意に設定することが可能な操作シート作成システムを提供する。
【課題を解決するための手段】
【０００６】
本発明の１つの観点では、サーバ装置と、前記サーバ装置とネットワークを介して接続され、ユーザによって操作される端末装置とを備えて構成され、電子ペンの記入情報に基づいて端末装置を操作するための操作シートを作成する操作シート作成システムであって、前記サーバ装置は、前記端末装置の表示手段に表示させるために、前記操作シートに設定するアイコンに付与する機能の一覧を表示するための機能一覧画面を生成する機能一覧画面生成手段と、前記端末装置から、前記機能の一覧の中から前記ユーザが選択した機能を受信する機能受信手段と、前記端末装置の表示手段に表示させるために、前記ユーザが選択した機能を示すデザインの一覧を表示するためのデザイン一覧画面を生成するデザイン一覧画面生成手段と、前記端末装置から、前記デザインの一覧の中から前記ユーザが選択したデザインを受信するデザイン受信手段と、前記ユーザが選択した機能及びデザインを付与したアイコンに対して、ドットパターンを割り当てるドットパターン割当手段と、前記ドットパターン割当手段が割り当てたドットパターン、前記ユーザが選択した機能、及び前記ユーザが選択したデザインに基づいて、前記操作シートを印刷するための出力ファイルを生成する出力ファイル生成手段とを備え、前記端末装置は、前記機能一覧画面生成手段が生成した前記機能一覧画面を、前記表示手段に表示させる機能一覧画面表示手段と、前記機能一覧画面に表示された機能の一覧の中から前記ユーザが選択した機能を取得し、前記サーバ装置に送信する機能送信手段と、前記デザイン一覧画面生成手段が生成した前記デザイン一覧画面を、前記表示手段に表示させるデザイン一覧画面表示手段と、前記デザイン一覧画面に表示されたデザインの一覧の中から前記ユーザが選択したデザインを取得し、前記サーバ装置に送信するデザイン送信手段とを備える。
【０００７】
上記の操作シート作成システムは、サーバ装置及び端末装置を備えて構成され、操作シートを作成するために好適に利用される。サーバ装置は、アイコンに付与する機能の一覧を表示するための機能一覧画面を生成する。端末装置は、当該機能一覧画面を表示手段に表示させ、機能一覧画面に表示された機能の一覧の中からユーザが選択した機能を取得し、サーバ装置に送信する。サーバ装置は、端末装置から、ユーザが選択した機能を受信すると、ユーザが選択した機能に適用可能なデザイン（言い換えると「絵柄」）の一覧を表示するためのデザイン一覧画面を生成する。端末装置は、当該デザイン一覧画面を表示手段に表示させ、デザイン一覧画面に表示されたデザインの一覧の中からユーザが選択したデザインを取得し、サーバ装置に送信する。サーバ装置は、端末装置から、ユーザが選択したデザインを受信し、ユーザが選択した機能及びデザインを付与したアイコンに対してドットパターンを割り当て、当該ドットパターン、ユーザが選択した機能及びデザインに基づいて出力ファイルを生成する。
【０００８】
上記の操作シート作成システムによれば、ユーザごとに機能及びデザインを任意に選択して操作シートを作成することができる。よって、ユーザが機能とデザインとの組み合わせを自由に選択した操作シートを作成することができる。具体的には、ユーザごとに、利用シーンやテーマに合わせて必要最低限の機能を設定した操作シートを作成することができると共に、設定された機能をユーザが認識しやすい任意のデザインに指定することができる。
【０００９】
更に、上記の操作シート作成システムによれば、テーマごとに利用できる機能を制限したい場合や、利用者の役割にあわせて利用できる機能を個別に設定したい場合などに、それぞれに専用の操作シートを用意することができる。よって、間違った機能を使用してしまうリスクを減らすことができ、操作シートの利便性を向上させることが可能となる。
【００１０】
上記操作シート作成システムの一態様では、前記端末装置は、前記ユーザによる入力操作により前記操作シートの作成部数を取得する作成部数取得手段と、前記作成部数取得手段により取得された前記作成部数が複数である場合に、前記操作シートを作成するために用いるドットパターンとして、複数の操作シートにおいてドットパターンが同一であるコピーパターンと、前記複数の操作シートの各々でドットパターンが異なるユニークパターンとのいずれを用いるかの選択を、前記ユーザの入力操作により取得するパターン種別取得手段とを更に備え、前記サーバ装置の前記ドットパターン割当手段は、前記ユーザが前記コピーパターンと前記ユニークパターンとのいずれを選択したかに対応して、前記ドットパターンを割り当てるよう構成させるとよい。この態様により、ユーザは利用状況に応じて、操作シートの作成部数、及び、作成部数が複数である場合に、各操作シートのドットパターンを同一とするか異なるようにするかを選択することができる。
【００１１】
上記操作シート作成システムの他の一態様では、前記サーバ装置は、前記ユーザによる入力操作により前記操作シートの作成部数を取得する作成部数取得手段と、前記作成部数取得手段が取得した前記作成部数、前記アイコンに付与する機能及びデザインに応じて、前記操作シートの購入価格を設定する購入価格設定手段と、前記端末装置の表示手段に表示させるために、前記ユーザが選択した前記アイコンのデザイン、前記購入価格、及び購入ボタンが表示された購入画面を生成する購入画面生成手段とを更に備える。この態様では、サーバ装置は、操作シートの作成部数、アイコンに付与する機能及びデザインに応じて、操作シートの購入価格を設定すると共に、ユーザが選択したアイコンのデザイン、購入価格、及び購入ボタンが表示された購入画面を生成する。これにより、操作シートの購入価格を適切に設定することができる。また、ユーザは、購入画面に表示された購入価格を確認して、操作シートを購入するか否かの判断を行うことができる。
【００１２】
上記操作シート作成システムの他の一態様では、前記サーバ装置は、前記作成部数取得手段が取得した前記作成部数、前記コピーパターンとするか前記ユニークパターンとするかの選択、及び前記アイコンに付与する機能及びデザインに応じて、前記操作シートの購入価格を設定する購入価格設定手段と、前記端末装置の表示手段に表示させるために、前記ユーザが選択した前記アイコンのデザイン、前記購入価格、及び購入ボタンが表示された購入画面を生成する購入画面生成手段とを更に備える。この態様では、サーバ装置は、操作シートの作成部数、コピーパターンとするかユニークパターンとするかの選択、アイコンに付与する機能及びデザインに応じて、操作シートの購入価格を設定すると共に、ユーザが選択したアイコンのデザイン、購入価格、及び購入ボタンが表示された購入画面を生成する。これにより、操作シートの購入価格を適切に設定することができる。また、ユーザは、購入画面に表示された購入価格を確認して、操作シートを購入するか否かの判断を行うことができる。
【００１３】
上記操作シート作成システムの他の一態様では、前記端末装置は、前記ユーザからの入力により、前記操作シート上に配置する前記アイコンの位置を取得するアイコン位置取得手段を更に備え、前記サーバ装置の前記出力ファイル生成手段は、前記アイコン位置取得手段が取得した前記アイコンの位置に基づいて、前記出力ファイルを生成する。この態様によれば、ユーザの好みの位置にアイコンが配置された操作シートを作成することが可能となる。
【００１４】
上記操作シート作成システムの他の一態様では、前記サーバ装置は、前記ユーザが選択した機能に対して、前記ドットパターン割当手段が割り当てた前記ドットパターンの情報を対応付けた定義ファイルを作成する定義ファイル作成手段を更に備え、前記端末装置は、前記定義ファイル作成手段が作成した前記定義ファイルを登録する定義ファイル登録手段を更に備える。この態様によれば、端末装置は、作成された操作シートが使用された際に、登録された定義ファイルに基づいて適切な動作を行うことができる。
【００１５】
上記操作シート作成システムの他の一態様では、前記サーバ装置に接続されており、前記出力ファイル生成手段が生成した前記出力ファイルに基づいて前記操作シートを印刷するプリンタを備える。この態様では、操作シート作成システムは、サーバ装置に接続されたプリンタを備える。
【００１６】
上記操作シート作成システムの他の一態様では、前記端末装置に接続されており、前記出力ファイル生成手段が生成した前記出力ファイルに基づいて前記操作シートを印刷するプリンタを備える。この態様では、操作シート作成システムは、端末装置に接続されたプリンタを備える。
【００１７】
本発明の他の観点では、電子ペンの記入情報に基づいて端末を操作するための操作シートを作成する操作シート作成装置であって、前記操作シートに設定するアイコンに付与する機能の一覧を表示するための機能一覧画面を生成する機能一覧画面生成手段と、前記機能一覧画面を表示手段に表示させる機能一覧画面表示手段と、前記機能一覧画面に表示された機能の一覧の中からユーザが選択した機能を取得する機能取得手段と、前記ユーザが選択した機能を示すデザインの一覧を表示するためのデザイン一覧画面を生成するデザイン一覧画面生成手段と、前記デザイン一覧画面を前記表示手段に表示させるデザイン一覧画面表示手段と、前記デザイン一覧画面に表示されたデザインの一覧の中から前記ユーザが選択したデザインを取得するデザイン取得手段と、前記ユーザが選択した機能及びデザインを付与したアイコンに対して、ドットパターンを割り当てるドットパターン割当手段と、前記ドットパターン割当手段が割り当てたドットパターン、前記ユーザが選択した機能、及び前記ユーザが選択したデザインに基づいて、前記操作シートを印刷するための出力ファイルを生成する出力ファイル生成手段とを備える。
【００１８】
上記操作シート作成装置においては、ユーザは、表示手段により表示された機能一覧画面により、操作シートに設定するための機能を選択することができる。さらに、表示手段に表示されたデザイン一覧画面により、ユーザが選択した機能に適用可能なデザインの一覧が表示されるため、ユーザは、機能ごとにデザインを選択することができる。そのため、ユーザが機能とデザインとの組み合わせを自由に選択した操作シートを作成することができる。具体的には、ユーザごとに、利用シーンやテーマに合わせて必要最低限の機能を設定することができると共に、設定された機能をユーザが認識しやすい任意のデザインに指定することができる。
【００１９】
更に、ユーザは、テーマごとに利用できる機能を制限したい場合や、利用者の役割にあわせて利用できる機能を個別に設定したい場合などに、それぞれに専用の操作シートを用意することができる。よって、間違った機能を使用してしまうリスクを減らすことができ、操作シートの利便性を向上させることが可能となる。
【００２０】
上記操作シート作成装置の他の一態様では、前記ユーザによる入力操作により前記操作シートの作成部数を取得する作成部数取得手段と、前記作成部数取得手段により取得された前記作成部数が複数である場合に、前記操作シートを作成するために用いるドットパターンとして、複数の操作シートにおいてドットパターンが同一であるコピーパターンと、前記複数の操作シートの各々でドットパターンが異なるユニークパターンとのいずれを用いるかの選択を、前記ユーザの入力操作により取得する手段とを更に備え、前記ドットパターン割当手段は、前記ユーザが前記コピーパターンと前記ユニークパターンとのいずれを選択したかに対応して、前記ドットパターンを割り当てるよう構成させる。この態様により、ユーザは利用状況に応じて、操作シートの作成部数、及び、作成部数が複数である場合に、各操作シートのドットパターンを同一とするか異なるようにするかを選択することができる。
【００２１】
上記操作シート作成装置の他の一態様では、ユーザからの入力により、前記操作シート上に配置する前記アイコンの位置を取得するアイコン位置取得手段を更に備え、前記出力ファイル生成手段は、前記アイコン位置取得手段が取得した前記アイコンの位置に基づいて、前記出力ファイルを生成するよう構成させる。この態様によれば、ユーザの好みの位置にアイコンが配置された操作シートを作成することが可能となる。
【００２２】
また、上記操作シート作成装置の他の一態様では、前記ユーザが選択した機能に対して、前記ドットパターン割当手段が割り当てた前記ドットパターンの情報を対応付けた定義ファイルを作成する定義ファイル作成手段と、前記定義ファイル作成手段が作成した前記定義ファイルを登録する定義ファイル登録手段とを更に備えるよう構成させる。この態様によれば、操作シート作成装置は、作成された操作シートが使用された際に、登録された定義ファイルに基づいて適切な動作を行うことができる。
【００２３】
本発明の他の観点では、電子ペンの記入情報に基づいて端末を操作するための操作シートを作成する操作シート作成装置によって実行されるプログラムは、前記操作シート作成装置を、前記操作シートに設定するアイコンに付与する機能の一覧を表示するための機能一覧画面を生成する機能一覧画面生成手段、前記機能一覧画面を表示手段に表示させる機能一覧画面表示手段、前記機能一覧画面に表示された機能の一覧の中からユーザが選択した機能を取得する機能取得手段、前記ユーザが選択した機能を示すデザインの一覧を表示するためのデザイン一覧画面を生成するデザイン一覧画面生成手段、前記デザイン一覧画面を前記表示手段に表示させるデザイン一覧画面表示手段、前記デザイン一覧画面に表示されたデザインの一覧の中から前記ユーザが選択したデザインを取得するデザイン取得手段、前記ユーザが選択した機能及びデザインを付与したアイコンに対して、ドットパターンを割り当てるドットパターン割当手段、前記ドットパターン割当手段が割り当てたドットパターン、前記ユーザが選択した機能、及び前記ユーザが選択したデザインに基づいて、前記操作シートを印刷するための出力ファイルを生成する出力ファイル生成手段、として機能させる。
【００２４】
上記プログラムの一態様では、前記ユーザによる入力操作により前記操作シートの作成部数を取得する作成部数取得手段、前記作成部数取得手段により取得された前記作成部数が複数である場合に、前記操作シートを作成するために用いるドットパターンとして、複数の操作シートにおいてドットパターンが同一であるコピーパターンと、前記複数の操作シートの各々でドットパターンが異なるユニークパターンとのいずれを用いるかの選択を、前記ユーザの入力操作により取得する手段、として前記操作シート作成装置を更に機能させ、前記ドットパターン割当手段は、前記ユーザが前記コピーパターンと前記ユニークパターンとのいずれを選択したかに対応して、前記ドットパターンを割り当てる。
【００２５】
また、上記プログラムの他の一態様では、ユーザからの入力により、前記操作シート上に配置する前記アイコンの位置を取得するアイコン位置取得手段、として前記操作シート作成装置を更に機能させ、前記出力ファイル生成手段は、前記アイコン位置取得手段が取得した前記アイコンの位置に基づいて、前記出力ファイルを生成する。
【００２６】
また、上記プログラムの他の一態様では、前記ユーザが選択した機能に対して、前記ドットパターン割当手段が割り当てた前記ドットパターンの情報を対応付けた定義ファイルを作成する定義ファイル作成手段、前記定義ファイル作成手段が作成した前記定義ファイルを登録する定義ファイル登録手段、として前記操作シート作成装置を更に機能させる。
【００２７】
これらのプログラムをコンピュータにインストールして実行することにより、上記の操作シート作成装置を実現することができる。
【発明の効果】
【００２８】
本発明によれば、ユーザごとに機能及びデザインを変更した操作シートを適切に作成することができる。つまり、ユーザが機能とデザインとの組み合わせを自由に選択した操作シートを作成することができる。
【図面の簡単な説明】
【００２９】
【図１】操作シートの利用方法を説明するための図である。
【図２】ドットパターンにおけるドットの配置と変換される値との関係を示す説明図である。
【図３】（ａ）は、ドットパターンを模式的に示し、（ｂ）は、それに対応する情報の例を示す図である。
【図４】電子ペンの構造を示す概略図である。
【図５】ＰＣ装置の機能ブロック図である。
【図６】第１実施形態における操作シート作成システムの構成図である。
【図７】第１実施形態における端末装置の機能ブロック図である。
【図８】第１実施形態におけるサーバ装置の機能ブロック図である。
【図９】定義ファイルの一例を示す図である。
【図１０】ドットパターンの座標領域を説明するための図である。
【図１１】機能一覧画面の一例を示す図である。
【図１２】デザイン一覧画面の一例を示す図である。
【図１３】購入画面の一例を示す図である。
【図１４】作成された操作シートの一例を示す図である。
【図１５】第１実施形態における操作シート作成処理フローである。
【図１６】第２実施形態における操作シート作成システムの構成図である。
【図１７】第２実施形態における端末装置の機能ブロック図である。
【図１８】第２実施形態におけるサーバ装置の機能ブロック図である。
【図１９】プリンタと端末装置とを接続して、プリンタの電源を入れることをユーザに促すためのメッセージ画面の一例を示す図である。
【図２０】プリンタに対して操作シートの出力命令を出すためのメッセージ画面の一例を示す図である。
【図２１】第２実施形態における操作シート作成処理フローである。
【図２２】第３実施形態における操作シート作成システムの構成図である。
【図２３】第３実施形態における端末装置の機能ブロック図である。
【図２４】印刷画面の一例を示す図である。
【図２５】第３実施形態における操作シート作成処理フローである。
【発明を実施するための形態】
【００３０】
以下、図面を参照しながら、本発明の実施の形態について説明する。
【００３１】
［操作シートの利用方法］
まず、図１を参照して、本実施形態で用いられる操作シート２の利用方法について説明する。図１に示すように、操作シート２にはアイコン３Ａ、３Ｂが印刷されており、ユーザが電子ペン１を用いてアイコン３Ａ、３Ｂをチェックしたりタップしたりすることで、ＰＣ（パーソナルコンピュータ）装置４がアイコン３Ａ、３Ｂに応じた動作を行う。図１では、操作シート２に「新規作成」のアイコン３Ａ及び「保存」のアイコン３Ｂの２つが印刷されている例を示すと共に、ユーザが電子ペン１によりアイコン３ＡをタップすることでＰＣ装置４が「新規作成」の動作を行う例を示している。
【００３２】
［操作シート］
次に、操作シート２について説明する。操作シート２には、その略全面に後述するドットパターン（コード化パターン）が印刷されている。ドットパターンは、赤外線を吸収するカーボンを含んだインキにより印刷される。アイコン３Ａ、３Ｂを構成する絵柄及び文字は、赤外域に吸収性を持たないインキで印刷されている。なお、ドットパターンは、操作シート２全体に配置してもよいし、アイコン３Ａ、３Ｂ内にのみ配置してもよい。
【００３３】
［ドットパターン］
続いて、操作シート２に印刷されたドットパターン（コード化パターン）について説明する。図２は、操作シート２に印刷されたドットパターンのドットとそのドットが変換される値との関係を説明する図である。図２に示すように、ドットパターンの各ドットは、その位置によって所定の値に対応付けられている。すなわち、ドットの位置を仮想格子の基準位置（縦線及び横線の交差点）から上下左右のどの方向にシフトするかによって、各ドットは、０〜３の値に対応付けられている。また、各ドットの値は、さらに、Ｘ座標用の第１ビット値及びＹ座標用の第２ビット値に変換できる。このようにして対応付けられた情報の組み合わせにより、操作シート２上の位置座標が決定されるよう構成されている。
【００３４】
図３（ａ）は、あるドットパターンの配列を示している。図３（ａ）に示すように、縦横約２ｍｍの範囲内に６×６個のドットが、操作シート２上のどの部分から６×６ドットを取ってもユニークなパターンとなるように配置されている。これら３６個のドットにより形成されるドットパターンは位置座標（例えば、そのドットパターンが操作シート２上のどの位置にあるのか）及びドットパターンアドレス（コード化パターンアドレス）を保持している。図３（ｂ）は、図３（ａ）に示す各ドットを、格子の基準位置からのシフト方向によって、図２に示す規則性に基づいて対応づけられた値に変換したものである。この変換は、ドットパターンの画像を撮影する電子ペン１によって行われる。
【００３５】
［電子ペン］
次に電子ペン１について説明する。図４に示すように、電子ペン１は、その筐体１０１の内部に、インクカートリッジ１０４、ＬＥＤ１０５、ＣＭＯＳカメラ１０６、圧力センサ１０７、ＣＰＵ等により構成されるプロセッサ１０８、ＲＯＭやＲＡＭといったメモリ１０９、リアルタイムクロック１１０、アンテナ等により構成される通信ユニット１１１及びバッテリー１１２を備える。インクカートリッジ１０４の先端は、ペン先部１０３となっており、ユーザは、電子ペン１のペン先部１０３によって操作シート２に印刷されたアイコンをチェックしたりタップしたりする。
【００３６】
バッテリー１１２は電子ペン１内の各部品に電力を供給するためのものであり、例えば電子ペン１のキャップ（図示せず）の脱着により電子ペン１自体の電源のオン／オフを行うよう構成させてもよい。リアルタイムクロック１１０は、現在時刻（タイムスタンプ）を示す時刻情報を発信し、プロセッサ１０８に供給する。圧力センサ１０７は、ユーザが電子ペン１により操作シート２に文字やマークを書いたりタップしたりする際にペン先部１０３からインクカートリッジ１０４を通じて与えられる圧力、即ち筆圧を検出し、その値をプロセッサ１０８へ伝送する。
【００３７】
プロセッサ１０８は、圧力センサ１０７から与えられる筆圧データに基づいて、ＬＥＤ１０５及びＣＭＯＳカメラ１０６のスイッチのオン／オフを切替える。即ち、ユーザが電子ペン１で操作シート２に文字などを書くと、ペン先部１０３に筆圧がかかり、圧力センサ１０７によって所定値以上の筆圧が検出されたときに、プロセッサ１０８は、ユーザが記入を開始したと判定して、ＬＥＤ１０５及びＣＭＯＳカメラ１０６を作動させる。
【００３８】
ＬＥＤ１０５とＣＭＯＳカメラ１０６は、電子ペン１のペン先部１０３付近に取り付けられており、筐体１０１におけるＬＥＤ１０５及びＣＭＯＳカメラ１０６と対向する部分には、開口部１０２が形成されている。ＬＥＤ１０５は、操作シート２上のペン先部１０３近傍に向けて赤外線を照明する。その領域は、ペン先部１０３が操作シート２に接触する位置とはわずかにずれている。ＣＭＯＳカメラ１０６は、ＬＥＤ１０５によって照明された領域内におけるドットパターンを撮影し、そのドットパターンの画像データをプロセッサ１０８に供給する。ここで、カーボンは赤外線を吸収するため、ＬＥＤ１０５によって照射された赤外線は、ドットに含まれるカーボンによって吸収される。そのため、ドットの部分は、赤外線の反射量が少なく、ドット以外の部分は赤外線の反射量が多い。ＣＭＯＳカメラ１０６の撮影により、赤外線の反射量の違いから閾値を設けることによって、カーボンを含むドットの領域とそれ以外の領域を区別することができる。したがって、操作シート２に記入欄などが印刷されていた場合でも、印刷したインクは赤外域に吸収性を持たないため、プロセッサ１０８は、ドットパターンを認識することができる。なお、ＣＭＯＳカメラ１０６による撮影領域は、図３（ａ）に示すような約２ｍｍ×約２ｍｍの大きさを含む範囲であり、ＣＭＯＳカメラ１０６の撮影は毎秒５０〜１００回程度の定間隔で行われる。
【００３９】
プロセッサ１０８は、ユーザの記入が行われる間、ＣＭＯＳカメラ１０６によって供給される画像データのドットパターンから、ユーザが記入するストローク（筆跡）の操作シート２上におけるＸ，Ｙ座標（単に「座標データ」とも呼ぶ）と操作シート２に固有のドットパターンアドレス（コード化パターンアドレス）とを連続的に演算していく。すなわち、プロセッサ１０８は、ＣＭＯＳカメラ１０６によって供給される、図３（ａ）に示されるようなドットパターンの画像データを図３（ｂ）に示すデータ配列に変換し、さらに、Ｘ座標ビット値・Ｙ座標ビット値に変換して、そのデータ配列から所定の演算方法によりＸ，Ｙ座標データ及びドットパターンアドレスを演算する。そしてプロセッサ１０８は、リアルタイムクロック１１０から発信される現在時刻（タイムスタンプ：記入された時刻情報）、筆圧データ、ドットパターンアドレス及びＸ，Ｙ座標データとを関連付ける。なお、操作シート２における６×６のドットパターンは、操作シート２内で重複することはないため、ユーザが電子ペン１で文字等を記入すると、記入された位置が操作シート２のどの位置に当たるかを、プロセッサ１０８による座標演算により特定することができる。
【００４０】
メモリ１０９には、電子ペン１を識別するための「ｐｅｎ０１」といったペンＩＤ、ペン製造者番号、ペンソフトウェアのバージョン等のプロパティ情報が記憶されている。そして、通信ユニット１１１は、ペンＩＤ（電子ペン識別情報）と、時刻情報（タイムスタンプ）と、筆圧データと、ドットパターンアドレスと、Ｘ，Ｙ座標データとを関連付けて、記入情報として操作シート作成システム２へ送信する。通信ユニット１１１による操作シート作成システム２への送信は、Ｂｌｕｅｔｏｏｔｈ（登録商標）の無線送信によって、即時的かつ逐次的に行われる。
【００４１】
［ＰＣ装置］
次に、ＰＣ（パーソナルコンピュータ）装置４について説明する。ＰＣ装置４は、ハードウェアとして、電子ペン１とのデータ通信が可能なアンテナ装置、ＣＰＵ等のプロセッサ、ＲＯＭやＲＡＭといったメモリ、ディスプレイ、マウスやキーボード等で構成される。図５は、ＰＣ装置４の機能ブロック図である。ＰＣ装置４は、機能的には、マウスやキーボードといった入力手段４１、受信手段４２、記憶手段４３、表示手段４４、及び処理手段４５を備える。そして、ＰＣ装置４は、電子ペン１から受信した記入情報に基づいて所定の処理を行う。
【００４２】
受信手段４２は、アンテナ受信回路等により構成され、電子ペン１から記入情報を受信し、処理手段４５に伝送する。表示手段４４は、ディスプレイ等によって構成され、処理手段４５によって指示された内容を表示する。
【００４３】
記憶手段４３は、ＲＯＭやＲＡＭといったメモリによって構成される。記憶手段４３は、処理手段４５の処理命令により、電子ペン１から受信した記入情報をペンＩＤ毎に記憶する。また、記憶手段４３は、操作シート２に印刷されているアイコン３の機能に対してドットパターンの情報が対応付けられた定義ファイルなどを記憶している。
【００４４】
処理手段４５は、ＣＰＵ等のプロセッサによって構成され、受信手段４２が受信した記入情報に基づいて所定の処理を行う。具体的には、処理手段４５は、ユーザが電子ペン１により操作シート２に印刷されたアイコン３をタップしたりチェックしたりした場合に、記憶手段４３に記憶された定義ファイルを読み込むことで、当該アイコン３に対応する所定の動作を実行する。例えば、処理手段４５は、「新規作成」や「保存」や「メール送信」などの動作を実行する。
【００４５】
以下では、本実施形態における操作シート２の作成方法について具体的に説明する。
【００４６】
＜第１実施形態＞
［操作シート作成システム］
まず、第１実施形態における操作シート作成システム１００について説明する。図６に示すように、操作シート作成システム１００は、端末装置５ａと、サーバ装置７ａと、プリンタ８とから構成される。端末装置５ａは、ネットワーク６を介してサーバ装置７ａに接続され、ユーザによって操作される。ネットワーク６は、例えばインターネットやＬＡＮ（Local Area Network）である。サーバ装置７ａは、ユーザが端末装置５ａに対して行った操作に基づいて、アイコンデザインＤＢ（データベース）７１及びドットパターン管理ＤＢ（データベース）７２に記憶された情報を用いて、操作シート２を作成するための処理を行うもので、操作シート２の提供者により管理されている。アイコンデザインＤＢ７１には、操作シート２に設定することができるアイコン３のデザインが記憶されており、ドットパターン管理ＤＢ７２には、操作シート２に対して割り当てるためのドットパターンが記憶されている。プリンタ８は、サーバ装置７ａに接続されており、サーバ装置７ａからの命令に応じて操作シート２を印刷する。
【００４７】
図７は、端末装置５ａの機能ブロック図である。端末装置５ａは、ハードウェアとして、電子ペン１とのデータ通信が可能なアンテナ装置、ＣＰＵ等のプロセッサ、ＲＯＭやＲＡＭといったメモリ、ディスプレイ、マウスやキーボード等で構成される、パーソナルコンピュータ（ＰＣ）等で構成される。図７に示すように、端末装置５ａは、機能的には、マウスやキーボードといった入力手段５１、受信手段５２、記憶手段５３、表示手段５４、処理手段５５、及び通信インターフェイス５６を備える。
【００４８】
受信手段５２は、アンテナ受信回路等により構成され、電子ペン１から記入情報を受信し、処理手段５５に伝送する。表示手段５４は、ディスプレイ等によって構成され、処理手段５５によって指示された内容を表示する。記憶手段５３は、ＲＯＭやＲＡＭといったメモリによって構成される。通信インターフェイス５６は、ネットワーク６を介して端末装置５ａをサーバ装置７ａに接続する。
【００４９】
処理手段５５は、ＣＰＵ等のプロセッサによって構成され、サーバ装置７ａから受信した情報に基づいて所定の処理を行う。処理手段５５は、操作シート２を作成するためにユーザに使用させる画面（以下、「操作シート作成画面」と呼ぶ。）をサーバ装置７ａから受信し、当該操作シート作成画面を表示手段５４に表示させる。具体的には、処理手段５５は、操作シート２に設定するアイコン３に付与することができる機能の一覧が表示された画面（以下、「機能一覧画面」と呼ぶ。）を、表示手段５４に表示させる。そして、処理手段５５は、機能一覧画面２０１に表示された機能の一覧の中からユーザが選択した機能を取得して、サーバ装置７ａに送信する。また、処理手段５５は、ユーザが選択した機能に適用可能なデザインの一覧が表示された画面（以下、「デザイン一覧画面」と呼ぶ。）を、表示手段５４に表示させる。そして、処理手段５５は、デザイン一覧画面２０２に表示されたデザインの一覧の中からユーザが選択したデザインを取得して、サーバ装置７ａに送信する。また、処理手段５５は、ユーザが選択した機能及びデザインのアイコンが配置された操作シート２を購入するための画面（以下、「購入画面」と呼ぶ。）を、表示手段５４に表示させる。そして、処理手段５５は、購入画面２０３にユーザが入力した作成部数及び選択したパターン種別を取得してサーバ装置７ａに送信したり、購入の確定情報を取得してサーバ装置７ａに送信したりする。
【００５０】
続いて、図８は、サーバ装置７ａの機能ブロック図である。サーバ装置７ａは、ハードウェアとして、ＣＰＵ等のプロセッサ、ＲＯＭやＲＡＭといったメモリ等で構成される。図８に示すように、サーバ装置７ａは、機能的には、通信インターフェイス７４、記憶手段７５、印刷制御手段７６、及び処理手段７７を備える。
【００５１】
通信インターフェイス７４は、ネットワーク６を介してサーバ装置７ａを端末装置５ａに接続する。記憶手段７５は、ＲＯＭやＲＡＭといったメモリによって構成される。記憶手段７５は、上記したアイコンデザインＤＢ７１及びドットパターン管理ＤＢ７２を有し、アイコンのデザインやドットパターンなどを記憶している。また、記憶手段７５は、予め、後述する操作シート作成用のプログラムを記憶している。印刷制御手段７６は、処理手段７７により生成された操作シート２の出力ファイルに基づいて、プリンタ８に操作シート２を印刷させるもので、プリンタ８へのデータ送信方式は有線式であっても無線式であってもよい。
【００５２】
処理手段７７は、ＣＰＵ等のプロセッサによって構成され、端末装置５ａから受信した情報に基づいて所定の処理を行う。処理手段７７は、上記した操作シート作成画面を生成して、当該操作シート作成画面を端末装置５ａに送信する。具体的には、処理手段７７は、機能の一覧が表示された機能一覧画面２０１を生成して端末装置５ａに送信し、ユーザが端末装置５ａの表示手段５４に表示された機能一覧画面２０１から機能を選択した際に端末装置５ａから当該機能を受信する。また、処理手段７７は、ユーザが選択した機能に適用可能なデザインの一覧が表示されたデザイン一覧画面２０２を生成して端末装置５ａに送信し、ユーザが端末装置５ａの表示手段５４に表示されたデザイン一覧画面２０２からデザインを選択した際に端末装置５ａから当該デザインを受信する。更に、処理手段７７は、ユーザが選択した機能及びデザインを付与したアイコンを配置した操作シート２の購入画面２０３を生成して端末装置５ａに送信する。また、処理手段７７は、ユーザがキーボード操作により入力した作成部数と、ユーザがマウス操作により選択したパターン種別を端末装置５ａから受信すると、購入価格（販売金額）を算出して、購入画面２０３にその購入価格を表示するように端末装置５ａに送信する。そして、処理手段７７は、ユーザが購入ボタン２０３Ｅをマウス操作で押下することで端末装置５ａから購入確定の情報を受信すると、ユーザが選択した機能及びデザインを付与したアイコンに対してドットパターンを割り当て、当該機能と当該ドットパターンの情報とを対応付けた定義ファイルを生成すると共に、当該機能及びデザインと割り当てた当該ドットパターンとに基づいて、プリンタ８に操作シート２を印刷させるための出力ファイルを生成して、印刷制御手段７６に伝送する。
【００５３】
［定義ファイル］
ここで、定義ファイルについて説明する。図９は、定義ファイルの一例を示す。図９に示すように、定義ファイルでは、ユーザが選択した機能についての機能番号と、アイコンに対して割り当てられたドットパターンの座標領域及びドットパターンアドレス（言い換えるとアドレス番号）とが対応付けられている。また、図１０に示すように、ドットパターンの座標領域（具体的には、ユーザによって選択されたデザインのアイコン２ｂに対して割り当てられたドットパターンの座標領域）は、特定の角の座標点（Ｘｎ，Ｙｎ）と、Ｘ方向の幅Ｗｎと、Ｙ方向の高さＨｎとによって規定されている。
【００５４】
なお、ユーザがユニークパターンを選択した場合には、処理手段７７は、複数の操作シート２の各々について異なる定義ファイルを作成する。これに対して、ユーザがコピーパターンを選択した場合には、処理手段７７は、複数の操作シート２について１つの定義ファイル、つまり共通の定義ファイルを作成する。
【００５５】
［操作シート作成画面］
続いて、第１実施形態において、操作シート２を作成するためにユーザが使用する操作シート作成画面について具体的に説明する。なお、操作シート作成画面は、サーバ装置７ａの処理手段７７によって生成され、サーバ装置７ａが当該操作シート作成画面を、通信インターフェイス７４を介して端末装置５ａに送信することで、端末装置５ａの処理手段５５の処理により表示手段５４に表示される画面である。
【００５６】
図１１は、端末装置５ａの表示手段５４に表示される機能一覧画面２０１の一例を示している。機能一覧画面２０１には、図１１中の破線領域２０１Ａに示すように、操作シート２のアイコンに付与することが可能な機能の一覧が表示されている。ユーザは、端末装置５ａのマウス（入力手段５１の一部）を操作することで、このような機能の一覧の中から、操作シート２に設定する機能を選択することができる。この場合、ユーザは、必要な機能を一度に複数選択することができる。図１１では、ユーザが、「新規作成」、「保存」、及び「再生」の３つの機能を選択した場合を例示している。機能の選択が完了した後、ユーザがＯＫボタン２０１Ｂをマウス操作により押下することで、次の画面に進むこととなる。これに対して、ユーザが戻るボタン２０１Ｃをマウス操作で押下した場合、前の画面に戻ることとなる。なお、アイコンに付与することが可能な機能は、図１１に示したものに限定はされない。
【００５７】
図１２は、端末装置５ａの表示手段５４に表示されるデザイン一覧画面２０２の一例を示している。デザイン一覧画面２０２には、図１２中の破線領域２０２Ａに示すように、ユーザが選択した機能に適用可能な（起想させる）デザインの一覧が表示されている。図１２では、「保存」の機能に適用可能なデザインの一覧を例示している。ユーザは、端末装置５ａのマウス（入力手段５１の一部）を用いてカーソル２０２Ｂを操作することで、このようなデザイン一覧の中から、選択した機能に割り当てるデザインを選ぶことができる。ユーザが割り当てたいデザインをマウス操作で選択し、ＯＫボタン２０２Ｃをマウス操作で押下することで、次の画面に進むこととなる。デザインの選択をまだ行っていない機能が存在する場合には、その機能についてのデザイン一覧画面２０２が次の画面として表示される。これに対して、全ての機能についてのデザインの選択が完了した場合には、後述する購入画面２０３が次の画面として表示される。一方、ユーザが戻るボタン２０２Ｄをマウス操作で押下した場合、前の画面に戻ることとなる。
【００５８】
なお、上記したように、必要な機能を全て選んだ後に各機能ごとのデザイン選択を行うことに限定はされず、機能の選択とデザインの選択とを１つの機能ごとに繰り返し行うこととしてもよい。
【００５９】
図１３は、端末装置５ａの表示手段５４に表示される購入画面２０３の一例を示している。購入画面２０３には、符号２０３Ａで示すように、ユーザが選択した機能及びデザインが付与されたアイコンが示された画面が表示される。この画面は、操作シート２のプレビューに相当する。ユーザは、このような購入画面２０３を用いて、符号２０３Ｂで示すように、キーボード（入力手段５１の一部）操作により操作シート２の作成部数を入力する。ここで、作成部数が複数である場合には、符号２０３Ｃで示すように、複数の操作シート２においてドットパターンが同一である「コピーパターン」と、複数の操作シート２の各々でドットパターンが異なる「ユニークパターン」とのいずれのパターン種別を用いるかを選択する領域がアクティブとなる（利用可能となる）ので、ユーザは、マウス操作によりパターン種別を選択する。
【００６０】
更に、購入画面２０３には、符号２０３Ｄで示すように、サーバ装置７ａによって算出された操作シート２の購入価格（合計金額）が表示される。操作シート２の購入価格は、操作シート２の作成部数、選択された機能の数、選択されたデザイン、及び、コピーパターンとユニークパターンとのいずれのパターン種別が選択されたかに応じて、設定される。具体的には、操作シート２の作成部数及び選択された機能の数が多いほど、高い購入価格が設定される。また、著作権が発生しているデザインが選択された場合には、それに応じた購入価格が設定される。また、ユニークパターンが選択された場合には、コピーパターンが選択された場合よりも、割り当てるドットパターンの領域が広くなるため、高い購入価格が設定される。
【００６１】
ユーザが操作シート２の購入価格を確認した後に、購入ボタン２０３Ｅをマウス操作で押下することで、操作シート２の購入が確定することとなる。これに対して、ユーザが戻るボタン２０３Ｆを押下した場合、前の画面に戻ることとなる。
【００６２】
なお、ユーザは、符号２０３Ａで示すような、ユーザが選択した機能及びデザインが付与されたアイコンが表示された画面を用いて、操作シート２上に配置するアイコンの位置を変更することができる。例えば、ユーザは、端末装置５ａのマウス（入力手段５１の一部）を用いて、表示されたアイコンをドラッグ操作することで、そのアイコンを好みの位置に配置することができる。
【００６３】
なお、ユニークパターンが選択された場合には、複数の操作シート２を、複数のユーザで用いることが想定される。つまり、同一の機能及びデザインが設定されているが、割り当てられたドットパターンが異なる操作シート２のそれぞれを、異なるユーザで用いることが想定される。ユニークパターンが選択された場合には、端末装置５は、ドットパターンとユーザＩＤとの関連付けなどを行い、関連付け情報を登録することで、端末装置５が電子ペン１から受信する記入情報にペンＩＤが含まれていなくても、ユーザを区別することができる。言い換えると、端末装置５は、登録された関連付け情報に基づいて、操作シート２ごとにユーザ別の動作を発生させる。例えば、複数のユーザの各々が操作シート２に設定された「再生」のアイコンを電子ペン１でチェック若しくはタップした場合、複数のユーザごとに異なるデータが再生される。なお、関連付け情報は、操作シート２の利用前にユーザが登録を行うこととしてもよいし、操作シート２の購入時などに予め登録するようにしてもよい。
【００６４】
図１４は、上記のような手順により作成された操作シート２の一例を示している。図１４に示すように、操作シート２ａには、「新規作成」のアイコン２ａａと、「保存」のアイコン２ａｂと、「再生」のアイコン２ａｃとが印刷されている。ドットパターンは、操作シート２ａ全体に印刷されるか、若しくはアイコン２ａａ、２ａｂ、２ａｃ内にのみ印刷される。このドットパターンは、プリンタ８によって赤外線を吸収するカーボンを含んだインキにより印刷される。また、アイコン２ａａ、２ａｂ、２ａｃを構成する絵柄及び文字は、プリンタ８によって赤外域に吸収性を持たないインキにより印刷される。
【００６５】
［操作シート作成処理］
図１５は、本第１実施形態の操作シート作成システム１００による操作シート作成処理フローを示す。操作シート作成処理は、ユーザが端末装置５ａを操作してサーバ装置７ａにアクセスし、サーバ装置７ａに記憶された操作シート作成用のプログラムが端末装置５ａに読み込まれることで実行される。
【００６６】
まず、端末装置５ａの処理手段５５は、アイコンに付与することができる機能の一覧が表示された機能一覧画面２０１（図１１参照）を、表示手段５４に表示させる（ステップＳ１０１）。この機能一覧画面２０１は、サーバ装置７ａから受信される。そして、処理手段５５は、ユーザが機能一覧画面２０１を参照しマウスでクリックすることで選択した機能を取得し、サーバ装置７ａへ送信する（ステップＳ１０２）。
【００６７】
次に、サーバ装置７ａの処理手段７７は、端末装置５ａから受信した機能情報をメモリに記憶する（ステップＳ２０１）。そして、処理手段７７は、ユーザが選択した機能に適用可能なデザインの一覧が表示されたデザイン一覧画面２０２を生成し、デザイン一覧画面２０２を端末装置５ａへ送信する（ステップＳ２０２）。
【００６８】
次に、端末装置５ａの処理手段５５は、サーバ装置７ａからデザイン一覧画面２０２を受信して、デザイン一覧画面２０２（図１２参照）を表示手段５４に表示させる（ステップＳ１０３）。そして、処理手段５５は、ユーザがデザイン一覧画面２０２を参照しマウスでクリックすることで選択したデザインを取得し、サーバ装置７ａへ送信する（ステップＳ１０４）。
【００６９】
次に、サーバ装置７ａの処理手段７７は、端末装置５ａから受信したデザイン情報をメモリに記憶する（ステップＳ２０３）。そして、処理手段７７は、ユーザが選択した機能及びデザインの情報などに基づいて購入画面２０３を生成し、購入画面２０３を端末装置５ａへ送信する（ステップＳ２０４）。具体的には、処理手段７７は、ユーザが選択した機能及びデザインを付与したアイコンや、購入ボタンや、購入価格が表示されると共に、ユーザによって操作シート２の作成部数の入力及びコピーパターンとユニークパターンとの選択ができるように構成された購入画面２０３を生成する。
【００７０】
次に、端末装置５ａの処理手段５５は、サーバ装置７ａから購入画面２０３を受信して、購入画面２０３（図１３参照）を表示手段５４に表示させる（ステップＳ１０５）。そして、処理手段５５は、ユーザがキーボードにより入力した操作シートの作成部数を取得すると共に、作成部数が複数である場合に、ユーザがマウスでクリックすることで選択した、コピーパターンかユニークパターンかのパターン種別の選択を取得し、サーバ装置７ａへ送信する（ステップＳ１０６）。サーバ装置７ａの処理手段７７は、受信した操作シート２の作成部数及びパターン種別（コピーパターンまたはユニークパターン）に応じた購入価格（販売価格）を算出して端末装置５ａへ送信して（ステップＳ２０５）、当該購入価格を購入画面２０３に表示させる（ステップＳ１０７）。そして、処理手段５５は、ユーザが購入ボタン２０３Ｅをマウス操作で押下した際に、購入確定の旨を示す情報をサーバ装置７ａへ送信する（ステップＳ１０８）。
【００７１】
この後、サーバ装置７ａの処理手段７７は、端末装置５ａから受信した情報に基づいてドットパターンの割当てを行う（ステップＳ２０６）。具体的には、処理手段７７は、ユーザが選択した機能及びデザインを付与したアイコンに対して、ドットパターン管理ＤＢ７２に記憶されたドットパターンから一部の領域のドットパターンを割り当てる。処理手段７７は、操作シート２の作成部数が複数である場合において、ユーザがコピーパターンを選択した場合には、ドットパターンを割り当てた１つの操作シート２を、ユーザが入力した部数、プリンタ８に印刷させる。これに対して、処理手段７７は、ユーザがユニークパターンを選択した場合には、複数の操作シート２の各々に対して異なるドットパターンを割り当てる。
【００７２】
次に、サーバ装置７ａの処理手段７７は、ユーザが選択した機能と、対応するアイコンに対して割り当てたドットパターンの情報とを対応付けた定義ファイルを作成する（ステップＳ２０７）。そして、サーバ装置７ａの処理手段７７は、作成した定義ファイルを、通信インターフェイス７４に対してネットワーク６を介して端末装置５ａへ送信させる。端末装置５ａの処理手段５５は、通信インターフェイス５６によりサーバ装置７ａから定義ファイルを受信して、定義ファイルの登録を行う（ステップＳ１０９）。そして、端末装置５ａは処理を終了する。なお、定義ファイルの登録は、操作シート２の購入時に行うことに限定されず、操作シート２の初回利用時にサーバ装置７ａから取得することで行ってもよい。
【００７３】
一方、サーバ装置７ａの処理手段７７は、定義ファイルの作成後に、操作シート２を実際に印刷する際に用いられる出力ファイルを生成する（ステップＳ２０８）。具体的には、処理手段７７は、ユーザが選択したデザインが付与されたアイコンと、それに対して割り当てたドットパターンとに基づいて、出力ファイルを生成する。この後、印刷制御手段７６は、処理手段７７が生成した出力ファイルに基づいて、プリンタ８に対して出力命令を送信する（ステップＳ２０９）。そして、サーバ装置７ａは処理を終了する。
【００７４】
プリンタ８は、サーバ装置７ａから受信した出力命令に基づいて、操作シート２を出力する（ステップＳ３０１）。このとき、上述のように、プリンタ８は、ドットパターンを、赤外線を吸収するカーボンを含んだインキにより印刷し、アイコン２ａａ、２ａｂ、２ａｃを構成する絵柄及び文字を、赤外域に吸収性を持たないインキにより印刷する。そして、プリンタ８は処理を終了する。
【００７５】
なお、上記では、定義ファイルの作成後に出力ファイルを生成する例を示したが、この代わりに、出力ファイルの生成後に定義ファイルを作成してもよい。また、上記では、端末装置５ａが、ユーザによって購入画面２０３に入力等された作成部数及びパターン種別の情報をサーバ装置７ａへ送信し、サーバ装置７ａが算出した購入価格を端末装置５ａへ送信することで、購入画面２０３に購入価格を表示させる例を示したが、この代わりに、サーバ装置７ａが、購入価格を算出するためのアプレット（プログラム）を組み込んだ購入画面２０３を生成して端末装置５ａへ送信して、端末装置５ａが購入価格を自動計算できるように構成してもよい。
【００７６】
［本第１実施形態の操作シート作成システムによる作用効果］
本第１実施形態の操作シート作成システム１００によれば、ユーザごとに機能及びデザインを任意に選択して操作シート２を作成することができる。具体的には、ユーザごとに、利用シーンやテーマに合わせて必要最低限の機能を操作シート２に設定することができると共に、設定された機能をユーザが認識しやすい任意のデザインに指定することができる。
【００７７】
更に、操作シート作成システム１００によれば、テーマごとに利用できる機能を制限したい場合や、利用者の役割にあわせて利用できる機能を個別に設定したい場合などに、それぞれに専用の操作シート２を用意することができる。よって、間違った機能を使用してしまうリスクを減らすことができ、操作シート２の利便性を向上させることが可能となる。
【００７８】
＜第２実施形態＞
次に、第２実施形態について説明する。第２実施形態は、プリンタ８がサーバ装置７ではなく端末装置５に接続されている点で、第１実施形態と異なる。なお、以下では、第１実施形態と同様の構成要素、画面及び処理などについては同じ符号を付し、その説明を適宜省略する。
【００７９】
［操作シート作成システム］
図１６に示すように、第２実施形態における操作シート作成システム１０１は、端末装置５ｂと、サーバ装置７ｂと、プリンタ８とから構成される。第２実施形態における操作シート作成システム１０１は、第１実施形態における操作シート作成システム１００と異なり、プリンタ８がユーザの端末装置５ｂに接続されている。基本的には、端末装置５ｂ及びサーバ装置７ｂは、前述した端末装置５ａ及びサーバ装置７ａと同様の処理を行う。
【００８０】
図１７は、端末装置５ｂの機能ブロック図である。端末装置５ｂは、端末装置５ａと異なり、プリンタ８に情報を送信する印刷制御手段５７を備える。印刷制御手段５７は、処理手段５５の指示による操作シート２の出力命令に応じて、プリンタ８に操作シート２を印刷させるもので、プリンタ８へのデータ送信方式は有線式であっても無線式であってもよい。続いて、図１８は、サーバ装置７ｂの機能ブロック図である。サーバ装置７ｂは、サーバ装置７ａと異なり、プリンタ８に情報を送信する印刷制御手段７６を具備しないで構成されている。
【００８１】
［操作シート作成画面］
続いて、第２実施形態における操作シート作成画面について説明する。操作シート作成画面は、サーバ装置７ｂの処理手段７７によって生成され、サーバ装置７ｂが当該操作シート作成画面を、通信インターフェイス７４を介して端末装置５ｂに送信することで、端末装置５ｂの処理手段５５の処理により表示手段５４に表示される画面である。なお、第２実施形態でも、基本的には、第１実施形態と同様に、図１１乃至図１３に示したような操作シート作成画面が用いられる。ここでは、第１実施形態と異なる操作シート作成画面についてのみ説明する。
【００８２】
図１９に示すように、第２実施形態では、購入画面２０３の表示後に、プリンタ８と端末装置５ｂ（パソコン）とを接続して、プリンタ８の電源を入れることをユーザに促すためのメッセージ画面２０４が表示される。具体的には、ユーザが購入画面２０３に表示された購入ボタン２０３Ｅをマウス操作で押下した後に、メッセージ画面２０４が表示される。次に、ユーザがＯＫボタン２０４Ａをマウス操作で押下した後に、図２０に示すようなメッセージ画面２０５が表示される。具体的には、プリンタ８に対して操作シート２の出力命令（印刷指示）を出すためのメッセージ画面２０５が表示される。ユーザがプリントボタン２０５Ａをマウス操作で押下した場合には、操作シート２の出力命令が出されて、プリンタ８での操作シート２の印刷が開始されることとなる。これに対して、ユーザが戻るボタン２０５Ｂをマウス操作で押下した場合には、前の画面に戻ることとなる。
【００８３】
［操作シート作成処理］
図２１は、本第２実施形態の操作シート作成システム１０１による操作シート作成処理フローを示す。操作シート作成処理は、ユーザが端末装置５ｂを操作してサーバ装置７ｂにアクセスすることで、サーバ装置７ｂに記憶された操作シート作成用のプログラムが読み込まれることで実行される。
【００８４】
端末装置５ｂでのステップＳ４０１〜Ｓ４０８の処理、サーバ装置７ｂでのステップＳ５０１〜Ｓ５０６の処理、及びプリンタ８でのステップＳ６０１の処理は、それぞれ、第１実施形態で説明したステップＳ１０１〜Ｓ１０８の処理、ステップＳ２０１〜Ｓ２０６の処理、及びステップＳ３０１の処理と同様であるため（図１５参照）、その説明を省略する。
【００８５】
第２実施形態においては、端末装置５ｂの処理手段５５は、ユーザが購入ボタン２０３Ｅをマウスにより押下した際に、購入確定を示す情報を取得してサーバ装置７ｂへ送信（ステップＳ４０８）した後に、前述したようなメッセージ画面２０４、２０５（図１９及び図２０参照）を表示する（ステップＳ４０９）。サーバ装置７ｂの処理手段７７は、購入確定情報を受信すると、ドットパターンの割当て（ステップＳ５０６）を行い、その後、操作シート２を実際に印刷する際に用いられる出力ファイルを生成して（ステップＳ５０７）、生成した出力ファイルを端末装置５ｂへ送信する。ここで、ユーザがメッセージ画面２０５のプリントボタン２０５Ａをマウスにより押下した場合、端末装置５ｂの処理手段５５は、印刷確定の旨の情報を取得する。そして、端末装置５ｂの印刷制御手段５５は、サーバ装置７ｂから受信した出力ファイル及び印刷確定情報の両方の情報が揃った場合には、出力ファイルに基づいて、プリンタ８に対して出力命令を送信する（ステップＳ４１０）。
【００８６】
一方、サーバ装置７ｂの処理手段７７は、出力ファイルの生成（ステップＳ５０７）後、定義ファイルを作成して端末装置５ｂへ送信し（ステップＳ５０８）、端末装置５ｂの処理手段５５は、サーバ装置７ｂから定義ファイルを受信して、定義ファイルの登録を行う（ステップＳ４１１）。
【００８７】
なお、上記では、出力ファイルの生成後に定義ファイルを作成する例を示したが、この代わりに、定義ファイルの作成後に出力ファイルを生成してもよい。また、上記では、端末装置５ｂが、ユーザによって購入画面２０３に入力等された作成部数及びパターン種別の情報をサーバ装置７ｂへ送信し、サーバ装置７ｂが算出した購入価格を端末装置５ｂへ送信することで、購入画面２０３に購入価格を表示させる例を示したが、この代わりに、サーバ装置７ｂが、購入価格を算出するためのアプレット（プログラム）を組み込んだ購入画面２０３を生成して端末装置５ｂへ送信して、端末装置５ｂが購入価格を自動計算できるように構成してもよい。
【００８８】
［本第２実施形態の操作シート作成システムによる作用効果］
本第２実施形態の操作シート作成システム１０１によっても、ユーザごとに機能及びデザインを任意に選択して操作シート２を適切に作成することができる。また、本第２実施形態の操作シート作成システム１０１では端末装置５ｂにプリンタ８が接続されているため、ユーザが端末装置５ｂを操作することで、プリンタ８に対して直接出力命令を出すことができる。したがって、ユーザは、作成された操作シート２を即座に入手することが可能となる。
【００８９】
＜第３実施形態＞
次に、第３実施形態について説明する。第３実施形態は、サーバ装置７を具備しないで操作シート作成システムが構成されている点で、第１及び第２実施形態と異なる。具体的には、第３実施形態では、第１及び第２実施形態で示したような端末装置５及びサーバ装置７の両方が行う処理を、端末装置５が単体で行う。つまり、第３実施形態では、端末装置５は操作シート作成装置として機能する。なお、以下では、第１及び第２実施形態と同様の構成要素及び処理などについては同じ符号を付し、その説明を適宜省略する。
【００９０】
［操作シート作成システム］
図２２に示すように、第３実施形態における操作シート作成システム１０２は、端末装置５ｃと、プリンタ８とから構成される。第３実施形態における操作シート作成システム１０２は、第１及び第２実施形態における操作シート作成システム１００、１０１と異なり、サーバ装置７ａ、７ｂを具備しないで構成されている。端末装置５ｃは、操作シート作成画面を生成して表示することでユーザからの入力を取得し、ユーザからの入力に基づいて操作シート２を作成する。つまり、前述したような端末装置５ａ及びサーバ装置７ａが協調して行う処理を、端末装置５ｃが単体で実行する。具体的には、端末装置５ｃは、アイコンデザインＤＢ５０１及びドットパターン管理ＤＢ５０２に記憶された情報に基づいて、操作シート２を作成するための処理を実行する。アイコンデザインＤＢ５０１には、操作シート２に設定することができるアイコンのデザインが記憶されており、ドットパターン管理ＤＢ５０２には、操作シート２に対して割り当てるためのドットパターンが記憶されている。
【００９１】
図２３は、端末装置５ｃの機能ブロック図である。端末装置５ｃは、端末装置５ａ、５ｂと異なり、サーバ装置７ａ、７ｂに接続する通信インターフェイス５６を具備しないで構成されている。端末装置５ｃにおいては、記憶手段５３は、上記したアイコンデザインＤＢ５０１及びドットパターン管理ＤＢ５０２を有し、アイコンのデザインやドットパターンなどを記憶している。また、記憶手段５３は、予め、操作シート作成用のプログラムを記憶している。
【００９２】
処理手段５５は、ＣＰＵ等のプロセッサによって構成され、ユーザからの入力に基づいて所定の処理を行う。処理手段５５は、操作シート作成画面を生成して、当該操作シート作成画面を表示手段５４に表示させる。具体的には、処理手段５５は、機能一覧画面２０１を生成して表示手段５４に表示させることで、ユーザが選択した機能を取得する。そして、処理手段５５は、ユーザが選択した機能に基づいてデザイン一覧画面２０２を生成して表示手段５４に表示させることで、ユーザが選択したデザインを取得する。そして、処理手段５５は、ユーザが選択した機能及びデザインを付与したアイコンを配置した操作シート２の印刷画面２０６を生成して表示手段５４に表示させることで、ユーザが入力した作成部数及びユーザが選択したパターン種別の情報を取得する。更に、処理手段５５は、ユーザが選択した機能及びデザインを付与したアイコンに対してドットパターンを割り当て、当該機能と当該ドットパターンの情報とを対応付けた定義ファイルを生成すると共に、当該ドットパターンに基づいて出力ファイルを生成する。
【００９３】
［操作シート作成画面］
続いて、第３実施形態における操作シート作成画面について説明する。操作シート作成画面は、端末装置５ｃの処理手段５５によって生成され、表示手段５４に表示される画面である。第３実施形態では、第１及び第２実施形態における購入画面２０３に換えて、印刷画面２０６が用いられる。図２４は、端末装置５ｃの処理手段５５により生成されて表示手段５４に表示される印刷画面２０６の一例を示している。印刷画面２０６には、符号２０６Ａで示すように、ユーザが選択した機能及びデザインが付与されたアイコンが示された画面が表示される。この画面は、操作シート２のプレビューに相当する。ユーザは、このような印刷画面２０６を用いて、符号２０６Ｂで示すように、キーボード操作により操作シート２の作成部数を入力する。ここで、作成部数が複数である場合には、符号２０６Ｃで示すように、複数の操作シート２においてドットパターンが同一である「コピーパターン」と、複数の操作シート２の各々でドットパターンが異なる「ユニークパターン」とのいずれのパターン種別を用いるかを選択する領域がアクティブとなる（利用可能となる）ので、ユーザは、マウス操作によりパターン種別を選択する。
【００９４】
そして、ユーザが印刷画面２０６に表示されたプリントボタン２０６Ｅをマウスにより押下した後に、プリンタ８の準備を促すメッセージ画面２０７が表示される。次に、ユーザがＯＫボタン２０７Ａをマウス操作で押下した後に、第２実施形態と同様の図２０に示すような、プリンタ８に対して操作シート２の出力命令（印刷指示）を出すためのメッセージ画面２０５が表示される。なお、第３実施形態では、第１及び第２実施形態で示した購入画面２０３（図１３参照）における購入ボタン２０３Ｅや購入価格２０３Ｄは表示されない。これは、第３実施形態では、操作シート２を作成する際にユーザは課金処理を行う必要はないからであり、ユーザは、操作シート２作成のための費用（例えば著作権やドットパターンの割当てなどに応じた費用）に基づいて価格設定がされた操作シート作成用のプログラムを予め購入しているからである。
【００９５】
［操作シート作成処理］
図２５は、本第３実施形態の操作シート作成システム１０２による操作シート作成処理フローを示す。操作シート作成処理は、端末装置５ｃに記憶された操作シート作成用のプログラムが読み込まれることで実行される。このようなプログラムは、ユーザが予め購入等することで取得して、端末装置５ｃにインストールされている。
【００９６】
まず、端末装置５ｃの処理手段５５は、機能一覧画面２０１（図１１参照）を表示手段５４に表示させる（ステップＳ７０１）。そして、処理手段５５は、ユーザが機能一覧画面２０１を参照しマウスを操作することで選択した機能を取得して、当該機能情報を記憶する（ステップＳ７０２）。次に、処理手段５５は、ユーザが選択した機能に適用可能なデザインの一覧が表示されたデザイン一覧画面２０２を生成し、生成したデザイン一覧画面２０２（図１２参照）を表示手段５４に表示させる（ステップＳ７０３）。そして、処理手段５５は、ユーザがデザイン一覧画面２０２を参照しマウスを操作することで選択したデザインを取得して、当該デザイン情報を記憶する（ステップＳ７０４）。そして、処理手段５５は、ユーザが選択した機能及びデザインの情報などに基づいて印刷画面２０６を生成し、当該印刷画面２０６（図２４参照）を表示手段５４に表示させる（ステップＳ７０５）。
【００９７】
次に、処理手段５５は、ユーザがプリントボタン２０６Ｅをマウスにより押下した際に、ユーザがキーボードによって入力した操作シート２の作成部数を取得すると共に、作成部数が複数である場合に、ユーザがマウス操作によって選択したコピーパターンかユニークパターンかのパターン種別を取得して（ステップＳ７０６）、メッセージ画面２０７、２０５（図２４及び図２０参照）を表示する（ステップＳ７０７）。また、処理手段５５は、ユーザが選択した機能及びデザインを付与したアイコンに対してドットパターンを割り当てる（ステップＳ７０８）。そして、処理手段５５は、当該ドットパターンの情報を対応付けた定義ファイルを作成して、当該定義ファイルを登録する（ステップＳ７０９）。次に、処理手段５５は、出力ファイルを生成する（ステップＳ７１０）。ここで、ユーザがメッセージ画面２０５のプリントボタン２０５Ａをマウスにより押下した場合、印刷制御手段５７は、処理手段５５が生成した出力ファイルに基づいてプリンタ８に対して出力命令を送信する（ステップＳ７１１）。そして、処理手段５５は処理を終了する。
【００９８】
プリンタ８は、端末装置５ｃから受信した出力命令に基づいて、操作シート２を出力する（ステップＳ８０１）。このとき、第１、第２実施形態と同様に、プリンタ８は、ドットパターンを、赤外線を吸収するカーボンを含んだインキにより印刷し、アイコンを構成する絵柄及び文字を、赤外域に吸収性を持たないインキにより印刷する。そして、プリンタ８は処理を終了する。
【００９９】
なお、上記では、定義ファイルの作成後に出力ファイルを生成する例を示したが、この代わりに、出力ファイルの生成後に定義ファイルを作成してもよい。
【０１００】
［本第３実施形態の操作シート作成システムによる作用効果］
本第３実施形態の操作シート作成システム１０２によっても、ユーザごとに機能及びデザインを任意に選択して操作シート２を作成することができる。また、本第３実施形態の操作シート作成システム１０２では、端末装置５ｃにおいて全ての操作シート作成処理が行われるため、ネットワークに接続できないような環境においても操作シート２を適切に作成することができる。
【０１０１】
＜変形例＞
上記した実施形態では、端末装置としてパーソナルコンピュータ（ＰＣ）を用いる例を示したが、これに限定はされない。パーソナルコンピュータ以外にも、携帯電話などを端末装置として用いてもよい。
【産業上の利用可能性】
【０１０２】
本発明は、企業研修、学校教育、会議、リサーチ業務、クイズ番組などで利用することができる。
【符号の説明】
【０１０３】
１…電子ペン
２…操作シート
３、３Ａ、３Ｂ…アイコン
４…ＰＣ装置
５、５ａ、５ｂ、５ｃ…端末装置
６…ネットワーク
７、７ａ、７ｂ…サーバ装置
８…プリンタ
５１…入力手段
５３…記憶手段
５４…表示手段
５５…処理手段
５６…通信インターフェイス
５７…印刷制御手段
７１…アイコンデザインＤＢ（データベース）
７２…ドットパターン管理ＤＢ（データベース）
７４…通信インターフェイス
７５…記憶手段
７６…印刷制御手段
７７…処理手段
１００、１０１、１０２…操作シート作成システム
２０１…機能一覧画面
２０２…デザイン一覧画面
２０３…購入画面
２０６…印刷画面
【図１】
0005440054.tif 000002
【図２】
0005440054.tif 000003
【図３】
0005440054.tif 000004
【図４】
0005440054.tif 000005
【図５】
0005440054.tif 000006
【図６】
0005440054.tif 000007
【図７】
0005440054.tif 000008
【図８】
0005440054.tif 000009
【図９】
0005440054.tif 000010
【図１０】
0005440054.tif 000011
【図１１】
0005440054.tif 000012
【図１２】
0005440054.tif 000013
【図１３】
0005440054.tif 000014
【図１４】
0005440054.tif 000015
【図１５】
0005440054.tif 000016
【図１６】
0005440054.tif 000017
【図１７】
0005440054.tif 000018
【図１８】
0005440054.tif 000019
【図１９】
0005440054.tif 000020
【図２０】
0005440054.tif 000021
【図２１】
0005440054.tif 000022
【図２２】
0005440054.tif 000023
【図２３】
0005440054.tif 000024
【図２４】
0005440054.tif 000025
【図２５】
0005440054.tif 000026